(57)【要約】  【課題】外観性、生産性および組付け性に優れる後付けタイプの目地ガスケットを提供する。  【解決手段】建物の外壁パネルＰ間の目地空間Ｇに嵌入する、後付けタイプの目地ガスケットであって、柱部１の左右両側にシールリップ部６を一体成形すると共に、柱部１の屋外側に中空シール部２を一体成形する。また、中空シール部２の屋外側壁部３の中央部に、当該中空シール部２の他の部分より肉厚の厚肉部３ａを形成する。【選択図】    図１
2005127061.tif 000002
【特許請求の範囲】
【請求項１】
建物の外壁パネル間の目地空間に嵌入する、後付けタイプの目地ガスケットであって、
柱部の左右両側にシールリップ部が一体成形されると共に、前記柱部の屋外側に中空シール部が一体成形されてなることを特徴とする目地ガスケット。
【請求項２】
前記中空シール部を構成する屋外側壁部の中央部には、該中空シール部の他の部分より肉厚の厚肉部が形成されてなることを特徴とする請求項１に記載の目地ガスケット。
【請求項３】
前記中空シール部を構成する屋外側壁部の中央部が、該中空シール部の他の部分より硬く設定されてなることを特徴とする請求項１または２に記載の目地ガスケット。
【請求項４】
前記中空シール部を構成する左側壁部および右側壁部が、デュロメーターＡ硬度で８０度以上の材料からなることを特徴とする請求項１乃至３のうちいずれか一つに記載の目地ガスケット。
【請求項５】
前記柱部が、前記中空シール部を構成する屋外側壁部に達するまでまたはその近傍に至るまで延設されてなることを特徴とする請求項１乃至４のうちいずれか一つに記載の目地ガスケット。
【請求項６】
前記柱部に、インサートが埋設されてなることを特徴とする請求項１乃至５のうちいずれか一つに記載の目地ガスケット。
【請求項７】
前記中空シール部内に、端部が前記左側壁部と右側壁部に接続され、頂部が前記屋外側壁部に近接する断面山形状の支持片が一体成形されてなることを特徴とする請求項１乃至４のうちいずれか一つに記載の目地ガスケット。
【発明の詳細な説明】
【技術分野】
【０００１】
本発明は、住宅の外壁パネル間に形成される目地空間に嵌入する、後付けタイプの目地ガスケットに関するものである。
【背景技術】
【０００２】
従来、住宅の外壁パネルＰ間に形成される目地空間を塞ぐ乾式の目地ガスケットとしては、外壁パネルＰの段落ち処理した端部に載せる被せ目地タイプ（図８参照）や、目地空間Ｇ内に入れ込んで断面Ｕ字状となる底目地タイプ（図９）が多く使用されている。また、ハット型ジョイナー（図１０）やダブルシール（図１１）といわれるタイプのものも使用されている。
【０００３】
被せ目地タイプや底目地タイプは、外壁パネルＰが組付けられた後に組付けるいわゆる後付けタイプであり、ハット型ジョイナーやダブルシールタイプは、外壁パネルＰを組付ける前に、当該外壁パネルＰや柱に組付ける先付けタイプである。
【０００４】
さらに、ベース目地材とトップ目地材の二つの部材により構成したタイプのものもある（例えば、特許文献１参照）。
【特許文献１】特開２００３−７４１３０号公報
【発明の開示】
【発明が解決しようとする課題】
【０００５】
従来の被せ目地タイプのガスケットは、外壁パネルＰの端部にその屋外側のリップを載せるため、目地が広く見え外観の見栄えが低下するという問題がある。
また、底目地タイプのガスケットは、目地空間Ｇの幅の大きさによって断面Ｕ字状の深さが異なり、目地空間Ｇの幅が小さい場合には断面Ｕ字状の深さが深くなるため、その部分が影になり易い。従って、目地部分が目立って外観性が低下するといった問題がある。
【０００６】
また、ハット型ジョイナーは、外観はある程度一定になって良好ではあるが、先付けタイプであるため、施工現場での施工性が低下したり、経年後に取外すことが困難である等、メンテナンス性に欠けるといった問題がある。
さらに、ダブルシールタイプは、屋外側のリップを目地空間Ｇの中央で合わせるため、外観の低下を招いたり、ハット型ジョイナーと同様に、メンテナンス性に欠けるという問題がある。
【０００７】
これら四種類のガスケットを総合的に勘案すると、一般的に、被せ目地タイプおよび底目地タイプといった後付けタイプの方が、先付けタイプのものより施工面およびメンテナンス性に優れているため、より多く使用されている。
しかし、この後付けタイプのガスケットは、前述したように外観性において必ずしも充分に満足できるものではないといった問題がある。
なお、特許文献１に記載のタイプは、二つの別部材で構成するので生産コストが嵩み、組付けが面倒であるといった問題がある。
【０００８】
そこで、本発明の目的とするところは、外観性、生産性および組付け性に優れる後付けタイプの目地ガスケットを提供することにある。
【課題を解決するための手段】
【０００９】
上記の目的を達成するために、本発明の請求項１に記載の目地ガスケットは、建物の外壁パネル（Ｐ）間の目地空間（Ｇ）に嵌入する、後付けタイプの目地ガスケットであって、柱部（１）の左右両側にシールリップ部（６）が一体成形されると共に、前記柱部（１）の屋外側に中空シール部（２）が一体成形されてなることを特徴とする。
【００１０】
また、請求項２に記載の目地ガスケットは、前記中空シール部（２）を構成する屋外側壁部（３）の中央部には、当該中空シール部（２）の他の部分より肉厚の厚肉部（３ａ）が形成されてなることを特徴とする。
【００１１】
さらに、請求項３に記載の目地ガスケットは、前記中空シール部（２）を構成する屋外側壁部（３）の中央部が、当該中空シール部（２）の他の部分より硬く設定されてなることを特徴とする。
【００１２】
またさらに、請求項４に記載の目地ガスケットは、前記中空シール部（２）を構成する左側壁部（４）および右側壁部（５）が、デュロメーターＡ硬度で８０度以上の材料からなることを特徴とする。
【００１３】
また、請求項５に記載の目地ガスケットは、前記柱部（１）が、中空シール部（２）を構成する屋外側壁部（３）に達するまでまたはその近傍に至るまで延設されてなることを特徴とする。
【００１４】
さらに、請求項６に記載の目地ガスケットは、前記柱部（１）に、インサート（７）が埋設されてなることを特徴とする。
【００１５】
またさらに、請求項７に記載の目地ガスケットは、前記中空シール部（２）内に、端部が前記左側壁部（４）と右側壁部（５）に接続され、頂部が前記屋外側壁部（３）に近接する断面山形状の支持片（８）が一体成形されてなることを特徴とする。
【００１６】
なお、カッコ内の記号は、図面および後述する発明を実施するための最良の形態に記載された対応要素または対応事項を示す。
【発明の効果】
【００１７】
本発明の請求項１に記載の目地ガスケットによれば、柱部の左右両側にシールリップ部が一体成形されると共に、屋外側に中空シール部が一体成形されているので、当該目地ガスケットを外壁パネル間の目地空間に嵌入した際の外観性に優れる。
すなわち、中空シール部は目地空間の幅に対応して弾性変形するので（目地空間の幅が小さいときは縦長に変形し、目地空間の幅が大きいときは横長に変形するので）、その屋外側壁部は常に平坦面を形成する。
従って、屋外側壁部は目地空間の幅の大小に関係なく平坦面を形成し、良好な外観面を形成することができる。
また、この目地ガスケットは、全体が一体成形されているので、生産性に優れると共に、その組付けも容易である。
【００１８】
また、請求項２に記載の発明によれば、請求項１に記載の発明の作用効果に加えて、中空シール部の屋外側壁部の中央部には、当該中空シール部の他の部分より肉厚の厚肉部が形成されているので剛性が高く変形し難い。
従って、当該屋外側壁部はさらに良好な平坦面を形成し、より外観性に優れる。
【００１９】
さらに、請求項３に記載の発明によれば、請求項１または２に記載の発明の作用効果に加えて、中空シール部の屋外側壁部の中央部が、当該中空シール部の他の部分より硬く設定されているので、変形し難い。
従って、屋外側壁部は、より安定した平坦面を形成し、外観の見栄えに優れる。
【００２０】
またさらに、請求項４に記載の発明によれば、請求項１乃至３に記載の発明の作用効果に加えて、中空シール部の左側壁部および右側壁部が、デュロメーターＡ硬度で８０度以上に設定されているので、目地空間に嵌入する際に当該左側壁部および右側壁部が座屈するのを未然に防止することができる。
このように左側壁部および右側壁部が座屈しないことにより、外側壁部も外壁パネルに対して水平な平坦面を形成することができ、外観の見栄えに優れる。
【００２１】
また、請求項５に記載の発明によれば、請求項１乃至４に記載の発明の作用効果に加えて、柱部が、中空シール部の屋外側壁部に達するまでまたは中空シール部の屋外側壁部の近傍に至るまで延設されているので、目地空間に嵌入する際に、押圧された屋外側壁部は柱部の先端面に当接する。
従って、屋外側壁部は座屈せず、嵌入後には円滑な平坦面を形成するので外観性に優れる。
なお、目地空間に嵌入する際、押圧された屋外側壁部が柱部の先端面に当接するので、押圧力が柱部に効果的に伝わり、嵌入作業が円滑に行われる。
【００２２】
さらに、請求項６に記載の発明によれば、請求項１乃至５に記載の発明の作用効果に加えて、柱部に、インサートが埋設されているので、目地空間に嵌入する際の屋外側壁部の座屈をより未然に防止することができる。また、目地空間に嵌入する際の押圧力が、柱部にさらに効果的に加わるので、嵌入作業がさらに容易となる。
【００２３】
またさらに、請求項７に記載の発明によれば、請求項１乃至４に記載の発明の作用効果に加えて、中空シール部内に、左側壁部と右側壁部から立設され、頂部が屋外側壁部に近接する山形状の支持片が一体成形されているので、目地空間に嵌入する際に、押圧された屋外側壁部は支持片の先端部に当接する。
従って、屋外側壁部は座屈せず、嵌入後に円滑な平坦面を形成するので外観性に優れる。また、目地空間に嵌入する際、押圧された屋外側壁部が支持片の先端部に当接することにより、当該押圧力が柱部に効果的に伝わり、嵌入作業が円滑に行われる。
【発明を実施するための最良の形態】
【００２４】
図１を参照して、本発明の第一実施形態に係る目地ガスケットについて説明する。図１は、目地ガスケットを示す断面図である。従来例で示したものと同一部分には同一符合を付した。
【００２５】
本発明の第一実施形態に係る目地ガスケットは、建物の外壁パネルＰ間の目地空間Ｇに嵌入する、いわゆる後付けタイプの乾式目地ガスケットである。
この目地ガスケットは、柱部１の左右両側に、外壁パネルＰの端面Ｓに弾接するシールリップ部６が上下に二片、一体成形されると共に、柱部１の屋外側に同じく外壁パネルＰの端面Ｓに弾接する中空シール部２が一体成形されている。また、この中空シール部２を構成する屋外側壁部３の中央部には、当該中空シール部２の他の部分よりも肉厚な厚肉部３ａが形成されている。さらに、左右に設けられた二片のシールリップ部６は、それぞれ、当該シールリップ部６の強度を高め、優れたシール性を確保するために、補強片９で一体的に連結されている。
【００２６】
本実施形態に係る目地ガスケットは、柱部１の左右両側にシールリップ部６が設けられているので、優れたシール性を発揮する。また、柱部１の屋外側に中空シール部２が設けられているので、当該中空シール部２は、屋外側壁部３を平坦に維持しつつ、目地空間Ｇの幅に対応して弾性変形する。従って、目地空間Ｇの幅に関係なく、常に優れた外観面を提供することができる。
【００２７】
また、この目地ガスケットは、中空シール部２の屋外側壁部３の中央部に厚肉部３ａが形成されているので、剛性が高くて変形し難く、より良好な平坦面を形成する。従って、外観の見栄えをさらに優れたものとすることができる。
【００２８】
なお、屋外側壁部３の中央部に厚肉部３ａを形成する代わりに、あるいはそれと共に、当該中央部を他の部分よりも硬くすることができる。これによっても、屋外側壁部３が安定した平坦面を形成し、優れた外観性を得ることができる。
【００２９】
また、この目地ガスケットにおいて、中空シール部２を構成する左側壁部４および右側壁部５を、デュロメーターＡ硬度で８０度以上の高い硬度に設定することによって、当該目地ガスケットを目地空間Ｇに嵌入する際に、左側壁部４および右側壁部５が座屈するのを防止することができる。これにより、屋外側壁部３は常に外壁パネルＰと平行な円滑な平坦面を形成することができ、優れた外観性を発揮する。
【００３０】
図２を参照して、本発明の第二実施形態に係る目地ガスケットを説明する。図２は、目地ガスケットを示す断面図である。
本発明の第二実施形態に係る目地ガスケットは、柱部１が、中空シール部２の屋外側壁部３に達するまで延設されていることを特徴としている。
これにより、当該目地ガスケットを目地空間Ｇに嵌入する際に、押圧された屋外側壁部３は柱部１の先端面に当接するので座屈しない。従って、屋外側壁部３は確実に平坦面を形成することができ、外観性に優れる。なお、目地空間Ｇに嵌入する際、押圧された屋外側壁部３が柱部１の先端面に当接することにより、押圧力が柱部１に効果的に伝わり、嵌入作業が円滑に行われる。
なお、柱部１が屋外側壁部３の近傍に至るまで延設された場合も、同様の作用効果を発揮することができる。
【００３１】
図３を参照して、本発明の第三実施形態に係る目地ガスケットについて説明する。図３は目地ガスケットを示す断面図である。
本発明の第三実施形態に係る目地ガスケットは、柱部１が、中空シール部２の屋外側壁部３に達するまで延設され、かつ、この柱部１の全長にわたって、インサート（芯金）７が埋設されていることを特徴としている。
インサート７が埋設されているので、目地空間Ｇに嵌入する際の屋外側壁部３の座屈をより効果的に防止することができる。また、目地空間Ｇに嵌入する際の押圧力が、柱部１にさらに効果的に加わるので、嵌入作業がさらに容易となるといった作用効果を発揮する。
【００３２】
図４を参照して、本発明の第四実施形態に係る目地ガスケットについて説明する。図４は、目地ガスケットを示す断面図である。
本発明の第四実施形態に係る目地ガスケットは、中空シール部２内に、端部が左側壁部４と右側壁部５に接続され、頂部が屋外側壁部３に近接する断面山形状の支持片８を一体成形したことを特徴としている。支持片８は、中空シール部２の左側壁部４と右側壁部５から屋外側壁部３に向けて立設されている。
支持片８を設けたことで、当該目地ガスケットを目地空間Ｇに嵌入する際に、押圧された屋外側壁部３は支持片８の先端部に当接するので座屈しない。従って、嵌入後に、屋外側壁部３は円滑な平坦面を形成するので外観性に優れる。また、目地空間Ｇに嵌入する際、押圧された屋外側壁部３が支持片８の先端部に当接することにより、当該押圧力が柱部１に効果的に伝わり、嵌入作業が円滑に行われる。
【００３３】
図５は、本発明に係る目地ガスケットを目地空間Ｇに嵌入する際の作用を示す。当該目地ガスケットを目地空間Ｇに嵌入すると、その際の押圧力によって屋外側壁部３は屋内側へ弾性変形する（（ａ）参照）。そして、組付け完了後に押圧を止めると、屋外側壁部３はその弾力によって原形に復帰し、円滑な平坦面を形成する（（ｂ））。
【００３４】
なお、この中空シール部２を含め、本発明に係る目地ガスケットの中空シール部２は、全て、図６に示すように、目地空間Ｇの幅が小さいときはそれに対応して縦長に弾性変形し（（ａ）参照）、目地空間Ｇの幅が大きいときは横長に弾性変形するので（（ｂ））、屋外側壁部３は、目地空間Ｇの幅の大小に関係なく常に平坦面を形成する。
従って、常に、見栄えに優れた外観面を提供することができる。
【００３５】
本発明者らは、本発明に係る目地ガスケットと、従来の底目地タイプのガスケットの性能（表面止水性、組付性、外観性）について実験を行った。ここで、「表面止水性」とは、本発明では中空シール部２、従来例では屋外側のシール部の止水性を意味する。また、「組付性」とは、嵌入作業のし易さを、「外観性」とは、外観の見栄え（平坦度）の程度を意味する。
その実験結果を、図７に示す。
【００３６】
この結果から、本発明に係る目地ガスケットは、いずれのものも、止水性および外観性において優れていることが分かる。また、組付性においても、柱部１を延設したもの、および支持片８を有するものは優れていることが分かる。
【図面の簡単な説明】
【００３７】
【図１】本発明の第一実施形態に係る目地ガスケットを示す断面図である。
【図２】本発明の第二実施形態に係る目地ガスケットを示す断面図である。
【図３】本発明の第三実施形態に係る目地ガスケットを示す断面図である。
【図４】本発明の第四実施形態に係る目地ガスケットを示す断面図である。
【図５】本発明に係る目地ガスケットの組付け時の作用を示す断面図である。
【図６】本発明に係る目地ガスケットの組付け状態を示す断面図である。
【図７】本発明に係る目地ガスケットと従来例の性能の比較を示す図である。
【図８】従来例に係る被せ目地タイプのガスケットを示す断面図である。
【図９】従来例に係る底目地タイプのガスケットを示す断面図である。
【図１０】従来例に係るハット型ジョイナータイプのガスケットを示す断面図である。
【図１１】従来例に係るダブルシールタイプのガスケットを示す断面図である。
【符号の説明】
【００３８】
１    柱部
２    中空シール部
３    屋外側壁部
３ａ  厚肉部
４    左側壁部
５    右側壁部
６    シールリップ部
７    インサート
８    支持片
９    補強片
Ｇ    目地空間
Ｐ    外壁パネル
Ｓ    端面
【図１】
2005127061.tif 000003
【図２】
2005127061.tif 000004
【図３】
2005127061.tif 000005
【図４】
2005127061.tif 000006
【図５】
2005127061.tif 000007
【図６】
2005127061.tif 000008
【図７】
2005127061.tif 000009
【図８】
2005127061.tif 000010
【図９】
2005127061.tif 000011
【図１０】
2005127061.tif 000012
【図１１】
2005127061.tif 000013